(57)【要約】【課題】多数の発光体を使用しなくても便器本体の周囲を照らすことができる便器装置を提供する。【解決手段】本発明の便器装置は、スカート部３３を有する便器本体１と、スカート部３３の下縁部に沿って設けられた導光部材６と、この導光部材６の長手方向の端面から光を入射させる発光体７１と、導光部材６の側面から出射する光を光源とし、スカート部３３の下縁部に沿ってライン状に光を発する発光部８とを備えている。【選択図】図１
2014055460.tif 000002
【特許請求の範囲】
【請求項１】
ボウル部を囲むようにしてスカート部が設けられた便器本体と、
前記スカート部の下縁部に沿って設けられた導光部材と、
この導光部材の長手方向の端面から光を入射させる発光体と、
前記導光部材の側面から出射する光を光源とし前記スカート部の下縁部に沿ってライン状に光を発する発光部と
を備えている
ことを特徴とする便器装置。
【請求項２】
前記スカート部の下縁部が透光性を有しており、
前記導光部材が前記スカート部の下縁部の内周面に沿って設けられており、
前記発光部は、前記導光部材の側面から発する光を前記スカート部に透過させて外部に照射するものである
ことを特徴とする請求項１記載の便器装置。
【請求項３】
前記スカート部の下縁部の内周面に、前記導光部材を収容するための溝部が設けられている
ことを特徴とする請求項２に記載の便器装置。
【請求項４】
前記スカート部の下縁部には、側方に開口し且つ内側に凹没する凹溝部が設けられ、
前記導光部材が凹溝部内に配置されて側面が露出しており、
前記発光部は、前記導光部材の露出した側面により構成されている
ことを特徴とする請求項１記載の便器装置。
【請求項５】
前記凹溝部は、前記スカート部の下端に設けられ断面略Ｌ字状に凹没した凹段部により構成されている
ことを特徴とする請求項４記載の便器装置。
【請求項６】
前記便器本体には下部後方にメンテナンス用の開口部が設けられ、
前記導光部材が、前記開口部に対応する位置から前側に向かって前記スカート部に沿って配置されており、
前記光源が前記開口部のすぐ内側に配置されている
ことを特徴とする請求項１乃至請求項５のいずれか一項に記載の便器装置。
【発明の詳細な説明】
【技術分野】
【０００１】
本発明は、便器装置に関する。
【背景技術】
【０００２】
特許文献１には、従来の便器装置が開示されている。この特許文献１記載の便器装置は、便器本体により主体が構成されている。便器本体は、便鉢を囲むようにして設けられた周壁部を有している。この周壁部には、立ち位置用スポット灯が部分的に多数の箇所に設けられている。この立ち位置用スポット灯は、便器装置の周囲の床面を照らすことができる。
【０００３】
これによりユーザーは、例えば、夜中に便器装置を使用する際に、完全に覚醒しないようにしながら、ある程度の明るさを確保することができる。
【先行技術文献】
【特許文献】
【０００４】
【特許文献１】特開２００７−１９７９００号公報
【発明の概要】
【発明が解決しようとする課題】
【０００５】
このように、特許文献１記載の便器装置は、便器装置の周囲に亙って床面を照らすために、周壁部に多数の立ち位置用スポット灯が並設されている。この多数の立ち位置用スポット灯には、それぞれに照明灯が設けられている。このため、特許文献１記載の便器装置は、光源となる照明灯が多数必要となってしまうという問題がある。
【０００６】
本発明は、上記事情に鑑みてなされたものであり、その目的とするところは、多数の発光体を使用しなくても便器本体の周囲を照らすことができる便器装置を提供することにある。
【課題を解決するための手段】
【０００７】
本発明の便器装置は、ボウル部を囲むようにしてスカート部が設けられた便器本体と、前記スカート部の下縁部に沿って設けられた導光部材と、この導光部材の長手方向の端面から光を入射させる発光体と、前記導光部材の側面から出射する光を光源とし前記スカート部の下縁部に沿ってライン状に光を発する発光部とを備えていることを特徴とする。
【０００８】
またこの便器装置において、前記スカート部の下縁部が透光性を有しており、前記導光部材が前記スカート部の下縁部の内周面に沿って設けられており、前記発光部は、前記導光部材の側面から発する光を前記スカート部に透過させて外部に照射するものであることが好ましい。
【０００９】
またこの便器装置において、前記スカート部の下縁部の内周面に、前記導光部材を収容するための溝部が設けられていることが好ましい。
【００１０】
またこの便器装置において、前記スカート部の下縁部には、側方に開口し且つ内側に凹没する凹溝部が設けられ、前記導光部材が凹溝部内に配置されて側面が露出しており、前記発光部は、前記導光部材の露出した側面により構成されていることが好ましい。
【００１１】
またこの便器装置において、前記凹溝部は、前記スカート部の下端に設けられ断面略Ｌ字状に凹没した凹段部により構成されていることが好ましい。
【００１２】
またこの便器装置において、前記便器本体には下部後方にメンテナンス用の開口部が設けられ、前記導光部材が、前記開口部に対応する位置から前側に向かって前記スカート部に沿って配置されており、前記光源が前記開口部のすぐ内側に配置されていることが好ましい。
【発明の効果】
【００１３】
本発明の便器装置によれば、多数の発光体を使用しなくても便器本体の周囲を照らすことができる。
【図面の簡単な説明】
【００１４】
【図１】実施形態１の便器装置の斜視図である。
【図２】実施形態１の便器本体の分解斜視図である。
【図３】実施形態１のスカート部の下縁部近傍の断面図である。
【図４】実施形態１のスカート部の下縁部近傍の図であり、導光体配置部が溝部により構成された断面図である。
【図５】実施形態１の便器装置の底面図である。
【図６】（ａ）〜（ｄ）は、導光部材の断面図である。
【図７】実施形態１の便器装置の底面側からみた斜視図である。
【図８】実施形態１の便器装置の発光部の断面図である。
【図９】（ａ）、（ｂ）は、実施形態２の便器装置の発光部の断面図である。
【発明を実施するための形態】
【００１５】
以下、本発明の実施形態について添付図面に基づいて説明する。
【００１６】
実施形態１の便器装置は、図１に示されるように、便器本体１と、導光部材６と、光源装置７と、発光部８とを備えている。導光部材６は、便器本体１の前方の下端部に配置されている。光源装置７は、導光部材６の長手方向の端部に対向配置されている。発光部８は、導光部材６から出射する光を光源とし、便器本体１の下端部に沿ってライン状に発光する部分である。
【００１７】
なお以下、前後方向は、ユーザーが便器装置に着座した状態から見た方向で定義される。すなわち、便器装置において、便座４７または便蓋４８が連結された部分から、ボウル部３１側に向かう方向は、前方向として定義される。また、ボウル部３１から、便座４７または便蓋４８が連結された部分側に向かう方向は、後方向として定義される。
【００１８】
便器本体１は、図２に示されるように、支持フレーム２と、前パーツ３と、後パーツ４と、内装機器５とを備えている。前パーツ３及び後パーツ４は、支持フレーム２に取り付けられている。前パーツ３は、便器本体１の前部を構成する。また、後パーツ４は、便器本体１の後部を構成する。
【００１９】
支持フレーム２は、下フレーム部２１と、サイドフレーム部２２とを備えている。下フレーム部２１は、床面に載置される部分である。下フレーム部２１は、例えば、床面との間にパッキンを介して設置される。下フレーム部２１は、前端が湾曲しており、平面視略Ｕ字状をしている。サイドフレーム部２２は、下フレーム部２１の後端部から上方に向かって延出している。サイドフレーム部２２は、左右方向の両側にそれぞれ設けられている。サイドフレーム部２２は、後パーツ４を支持する。
【００２０】
前パーツ３は、ボウル部３１と、リム部３２と、スカート部３３とを備えている。前パーツ３は合成樹脂により形成されている。前パーツ３は、ボウル部３１とリム部３２とスカート部３３とが溶着一体化することで形成されている。前パーツ３は、支持フレーム２に取り付けられている。
【００２１】
ボウル部３１は、便器本体１の前部に設けられている。ボウル部３１は、上方に開口した椀状をしている。ボウル部３１の開口縁には、径方向の外側に突出したフランジ部（図示せず）が形成されている。ボウル部３１の底部には、排水筒部（図示せず）が形成されている。排水筒部は、後方に向かって開口している。排水筒部には、トラップ部３４が連通接続される。
【００２２】
トラップ部３４は、例えば、ターントラップ方式のトラップ装置により構成される。トラップ部３４は、弾性変形可能なトラップ筒（図示せず）と、トラップ筒の後方側の先端を上下に回動させるモータ（図示せず）とを備えている。トラップ筒は、前端が排水筒部に連通接続される。トラップ筒は、後方側の先端が上方に向いた状態では、トラップ構造を形成する。またトラップ筒は、後方側の先端が下方に向いた状態では排水口に連通し、これにより、封水を汚物と共に排水口に排水する。
【００２３】
なお、トラップ部３４は、ターントラップ方式のトラップ装置に限られず、サイホン式のものや、サイホンゼット式のもの等が適用できる。
【００２４】
リム部３２は、ボウル部３１の上方に配置される。リム部３２は、平面視略円環状をしている。リム部３２の前部上面は、便座４７を載置するための便座載置面３５となっている。
【００２５】
スカート部３３は、リム部３２およびボウル部３１の外側に配置される。スカート部３３は、便器本体１の前側の側壁を構成する。スカート部３３の内周面には、内側に突出する突条（図示せず）が形成されている。この突条は、上下方向の略全長に亙って形成されている。突条の上端には、ボウル部３１のフランジ部が載置されるようになっている。これにより、スカート部３３は、ボウル部３１を支持した状態で、ボウル部３１を囲むようにして取り付けられている。
【００２６】
また、スカート部３３は、透光性を有する合成樹脂により形成されている。言い換えると、スカート部３３の下縁部は、透光性を有している。スカート部３３は、上方に向かうほど、外側に拡がるように傾斜している。また、スカート部３３は、平面視略Ｕ字状をしており、前端部が前方に向かって凸となるよう湾曲している。スカート部３３の上端は、リム部３２に溶着される。スカート部３３の下縁部は、支持フレーム２の下フレーム部２１に固定される。
【００２７】
スカート部３３と下フレーム部２１との間には、図３に示されるように、導光体配置部３６が形成されている。この導光体配置部３６には、導光部材６が収容配置される。この導光体配置部３６は、スカート部３３の下縁部の周方向の略全長に亙って設けられている。導光体配置部３６は、例えば、図３に示されるように、スカート部３３と下フレーム部２１との間の間隙により構成されてもよいし、図４に示されるように、溝部３７により構成されてもよい。
【００２８】
この溝部３７は、スカート部３３の下縁部の内周面に設けられている。溝部３７は、横片部３７１と、縦片部３７２とにより構成されている。横片部３７１は、スカート部３３の下縁部の内周面から内側に向かって突出している。縦片部３７２は、横片部３７１の内側の先端から下方に向かって延出している。縦片部３７２とスカート部３３の下縁部とは隙間を介して離間している。
【００２９】
スカート部３３と支持フレーム２との固定は、図３に示されるように、例えば、スカート部３３に設けられた接続片３８を介して行われる。接続片３８は、スカート部３３の下縁部の内面から内側に突出している。接続片３８は、スカートの周方向に部分的に設けられている。接続片３８は、下フレーム部２１の上面に載置され、この状態で固着具を介して固定される。
【００３０】
後パーツ４は、図２に示されるように、上カバー４１と、リアカバー４２と、上サイドカバー４３と、下サイドカバー４４とを備えている。上カバー４１は、便器本体１の後方上面を形成する。上カバー４１は、リム部３２の後端に接続される。上カバー４１には、便座４７および便蓋４８が起倒自在に連結されている。リアカバー４２は、上カバー４１の下方に配置される。リアカバー４２は、便器本体１の背面を形成する。上サイドカバー４３は、上カバー４１の下方に配置され且つリアカバー４２の左右両端に配置される。下サイドカバー４４は、上サイドカバー４３の下方に配置される。下サイドカバー４４は、左右方向の両側にそれぞれ設けられている。上サイドカバー４３及び下サイドカバー４４は、便器本体１の左右方向の側面を形成する。上サイドカバー４３及び下サイドカバー４４は、支持フレーム２のサイドフレーム部２２に、着脱自在に取り付けられている。
【００３１】
下サイドカバー４４は、図１に示されるように、メンテナンス用の開口部４５を開閉自在に閉塞する。この開口部４５の内側には、例えば、洗浄液タンク４６（図２参照）や、光源装置７が配置されている。ユーザーは、この開口部４５を通して、洗浄液タンク４６を取り外して洗浄液の交換を行ったり、光源装置７のメンテナンスを行なったりすることができる。
【００３２】
内装機器５は、図２に示されるように、前パーツ３と後パーツ４とに囲まれた部分に配置されている。内装機器５は、例えば、局部洗浄装置５１、臀部乾燥用の送風装置５２、ボウル内の臭気を脱臭するための脱臭装置５３、ボウル内に洗浄液を供給するボウル洗浄装置等が挙げられる。
【００３３】
このような便器本体１の下端部には、図５に示されるように、導光部材６が配置されている。導光部材６は、入射面６１と、出射面６２と、光拡散部６３とを備えている。導光部材６は、光源装置７から発せられた光を入射面６１から入射させ、入射した光を内面で全反射させながら導光する。そして導光部材６は、内部に入射した光を光拡散部６３を介して乱反射させ、この乱反射した光を出射面６２から出射させる。
【００３４】
導光部材６は、平面視略Ｕ字状をしており、スカート部３３の下縁部に沿って設けられている。導光部材６は、図１に示されるように、下サイドカバー４４の前端部分から前方に向かって、スカート部３３に沿って設けられている。言い換えると、導光部材６は、メンテナンス用の開口部４５に対応する位置から、前側に向かってスカート部３３に沿って配置されている。入射面６１は、導光部材６の長手方向の端面により構成されている。また出射面６２は、導光部材６の側面（周面）により構成されている。
【００３５】
導光部材６としては、例えば、次のようなものが例示される。図６（ａ）に示す導光部材６は、断面円形状の導光部材６である。この導光部材６は、透明な樹脂材の内部に光拡散材が混入されて構成されている。出射面６２は、導光部材６の外周面の全面に亙って形成されている。光拡散材としては、例えば、酸化チタン、シリカ、酸化亜鉛などが用いられる。なお、この導光部材６においては、この光拡散材が光拡散部６３を構成する。
【００３６】
また、図６（ｂ）に示す導光部材６は、断面円形状の導光部材６である。この導光部材６は、便器本体１の内側に位置する部分に、光拡散部６３が形成されている。出射面６２は、断面において光拡散部６３とは反対側に位置する部分（便器本体１の外側に位置する側面）である。この光拡散部６３は、白色材料を導光部材６に接着することで構成されてもよいし、シボ加工された凹凸面により構成されてもよいし、あるいは印刷により形成されていてもよい。
【００３７】
また、図６（ｃ）に示す導光部材６は、断面矩形状の導光部材６である。この導光部材６も、便器本体１の内側に位置する部分に、光拡散部６３が形成されている。出射面６２は、断面において光拡散部６３とは反対側に位置する部分（便器本体１の外側に位置する側面）に設けられている。この光拡散部６３は、白色材料を導光部材６に接着することで構成されてもよいし、シボ加工された凹凸面により構成されてもよいし、あるいは印刷により形成されてもよい。
【００３８】
また、図６（ｄ）に示す導光部材６は、断面が外側に向かうほど対向間の距離が拡がった錘型の導光部材６である。光拡散部６３は、便器本体１の内側に位置する側面に設けられている。出射面６２は、断面において光拡散部６３とは反対側に位置する部分（便器本体１の外側に位置する側面）に設けられている。この導光部材６の上面および下面は、光拡散部６３から出射面６２に向かうほど対向間の距離が拡がるよう傾斜しているため、出射面６２から出射する光の指向性を高めることができる。この光拡散部６３は、白色材料を導光部材６に接着することで構成されてもよいし、シボ加工された凹凸面により構成されてもよいし、あるいは印刷により形成されていてもよい。
【００３９】
導光部材６は、例えば、アクリルやガラス等の透明な硬質材や、ウレタン、アクリルゴム等の透明な軟質材により形成される。特に、本実施形態の導光部材６は、透明な軟質材により構成されている。このため、図８に示されるように、軟質材により形成された導光部材６が下方に開口する溝部３７内に充填されていると、便器装置が床面に載置された際に、導光部材６が床面と溝部３７内とに密着する。つまり、軟質材により形成された導光部材６は、水密材として機能する。なお、この場合、軟質材により形成された導光部材６は、溝部３７内の間隙よりも大きく形成されている。
【００４０】
また、導光部材６の外側には、図６に示されるような反射材６４が設けられてもよい。この反射材６４は、断面略Ｕ字状に形成されている。反射材６４は、便器本体１の外側に向かって開口している。反射材６４の内部には、導光部材６が配置される。なお、この場合、反射材６４も導光部材６と一緒に、導光体配置部３６に配置される。
【００４１】
光源装置７は、導光部材６の入射面６１から光を入射させる。光源装置７は、図５に示されるように、発光体７１と、発光体７１を実装した基板７２と、レンズ部７３とを備えている。光源装置７は、導光部材６の長手方向の両端に配置されている。各光源装置７は、後方から前方に向かって光を発する。
【００４２】
発光体７１は、ＬＥＤにより構成されている。発光体７１の発光方向は入射面６１に臨んでいる。言い換えると、発光体７１は、導光部材６の長手方向の端面から光を入射させる。レンズ部７３は、導光部材６の入射面６１と発光体７１との間に介装される。レンズ部７３の入光面側は凸レンズとなっている。レンズ部７３の出光面側は、非球面（平面）となっている。発光体７１から発せられた光は、レンズ部７３を介して、導光部材６に入射される。光源装置７は、制御装置（図示なし）を介して電源部（図示せず）に電気的に接続されている。光源装置７のＯＮ／ＯＦＦは、制御装置により制御される。
【００４３】
光源装置７は、便器本体１の左側部と右側部とにそれぞれ配置されている。光源装置７は、図７に示されるように、下フレーム部２１と、下サイドカバー４４との間に配置されている。より詳しく説明すると、光源装置７は、メンテナンス用の開口部４５のすぐ内側に配置されている。これにより、ユーザーは、下サイドカバー４４を取り外すと、開口部４５を通して光源装置７を容易にメンテナンスすることができる。
【００４４】
なお、光源装置７は、便器本体１の左側部と右側部とに配置されていなくてもよい。例えば、光源装置７は、導光部材６の一方側の端部だけに配置されてもよい。また、光源装置７は、便器装置の前端部に配置されてもよい。この場合、特に図示はしないが、例えば、導光部材６を、便器本体１の前端から左側面側に向かって延出する左側導光体と、便器本体１の前端から右側面側に向かって延出する右側導光体とで構成する。そして、光源装置７から左側導光体と右側導光体とにそれぞれ入射させるようにすればよい。
【００４５】
本実施形態の便器装置は、光源装置７および導光部材６を光源として、スカート部３３の下縁部が発光するようになっている。言い換えると、便器装置の下端部には発光部８が設けられている。
【００４６】
発光部８は、図８に示されるように、スカート部３３の下縁部に設けられる。発光部８は、導光部材６の出射面６２から出射する光を光源としている。発光部８は、スカート部３３の下縁部に沿ってライン状に発光する。スカート部３３は透光性を有しているため、導光部材６が発光すると、導光部材６から出射した光は、スカート部３３を透過して外部に照射される。
【００４７】
なお、発光部８を構成するスカート部３３の下縁部は、例えば、スカート部３３の他の部分よりも薄肉状に形成されてもよい。スカート部３３の下縁部が薄肉状に形成されると、発光部８は、導光部材６から発せられた光の透過率が向上し、より照度を大きくすることができる。
【００４８】
また、導光体配置部３６が溝部３７である場合には、溝部３７内の上底面（横片部３７１の下面）を反射面としてもよい。このように、溝部３７内の上底面を反射面とすると、導光部材６から出射して反射面に反射した光が、スカート部３３の下縁部から出射しやすい。これにより、導光部材６から出射した光を効率良く外部に照射させることができる。
【００４９】
以上説明したように、本実施形態の便器装置は、便器本体１と、導光部材６と、発光体７１と、発光部８とを備えている。便器本体１は、ボウル部３１を囲むようにしてスカート部３３が設けられている。導光部材６は、スカート部３３の下縁部に沿って設けられている。発光体７１は、導光部材６の長手方向の端面から光を入射させる。発光部８は、導光部材６の側面から出射する光を光源とする。発光部８は、スカート部３３の下縁部に沿ってライン状に光を発する部分である。
【００５０】
本実施形態の便器装置は、発光体７１を多数設けなくても、スカート部３３の下縁部の略全長に亙ってライン状に光を発することができる。つまり、多数の発光体７１を使用しなくても便器本体１の周囲を照らすことができる。しかも、本実施形態の便器装置は、発光部８がスカート部３３の下縁部に設けられているため、ユーザーが夜中に便器装置を使用したとしても、眩しくないようにできる。つまり本実施形態の便器装置によれば、ユーザーは、覚醒しないようにしながら、ある程度の明るさを確保することができる。そのうえ、本実施形態の便器装置は、スカート部３３の下縁部に沿ってライン状に発光するものであるため、発光時において、従来にない斬新な外観を呈することができる。
【００５１】
また、本実施形態のスカート部３３の下縁部は、透光性を有している。また、導光部材６は、スカート部３３の下縁部の内周面に沿って設けられている。発光部８は、導光部材６の側面から発する光をスカート部３３に透過させて外部に照射するものである。
【００５２】
このため、本実施形態の便器装置は、発光していない状態では、発光部８を外部に認識させることがなく、すっきりとした外観とすることができる。
【００５３】
また、本実施形態のスカート部３３の下縁部の内周面には、導光部材６を収容するための溝部３７が設けられている。この溝部３７には、導光部材６が配置されている。
【００５４】
このため本実施形態の便器装置によれば、導光部材６を収まりよく配置することができる。特に、本実施形態の溝部３７は下方に開口している。また導光部材６が軟質材により構成されている。このため、本実施形態の導光部材６は、便器装置と床面との間の水密材を兼ねることができる。
【００５５】
また、本実施形態の便器装置は、側面に内外に貫通する部分が形成されていないため、便器装置の内部への浸水を防止することができる。また、本実施形態の便器装置は、光源装置７がスカート部３３の内部に配置されている。このため、光源装置７に水が付着しにくくすることができる。
【００５６】
次に、実施形態２について図９に基づいて説明する。なお、本実施形態は実施形態１と大部分において同じであるため、主に異なる部分について説明する。
【００５７】
実施形態２の便器装置は、発光部８の構成が異なっており、その他の構成は同じである。本実施形態の便器装置は、スカート部３３の下縁部に、導光体配置部３６が設けられている。この導光体配置部３６は、凹溝部３９により構成されている。凹溝部３９は、側方に開口し且つスカート部３３の外周面から内側に凹没している。凹溝部３９は、スカート部３３の下縁部において周方向の略全長に亙って設けられている。
【００５８】
凹溝部３９は、例えば、図９（ａ）に示すように、断面略Ｌ字状に凹没した凹段部３９０により構成されてもよい。凹段部３９０は、横面部３９１と、縦面部３９２とにより構成されている。横面部３９１は、スカート部３３の下端から内側に向かって延出している。縦面部３９２は、横面部３９１の内側の先端から下方に向かって延出している。凹段部３９０は、スカート部３３の下端に一体成形されている。
【００５９】
また凹溝部３９は、図９（ｂ）に示すように、凹所３９３により構成されていてもよい。この凹所は、スカート部３３の表面から凹没している。凹所３９３は、スカート部３３の下端部において、例えば、スカート部３３の表面からザグリ加工をすることで形成されている。凹所３９３の深さは、スカート部３３の厚み長さよりも短くなっている。
【００６０】
凹溝部３９には、導光部材６が配置される。凹溝部３９内に導光部材６が配置されると、導光部材６の出射面６２が露出する。発光部８は、この導光部材６の露出した側面（出射面６２）により構成されている。
【００６１】
本実施形態において光源装置７が発光すると、発光体７１から発せられた光は、導光部材６内に入射し、光拡散部６３により拡散して、出射面６２から出射する。これにより、発光部８は、スカート部３３の下縁部に沿ってライン状に光を発する。
【００６２】
このように本実施形態の便器装置は、スカート部３３の下縁部に、凹溝部３９が設けられている。凹溝部３９は、側方に開口し且つ内側に凹没する。導光部材６は、凹溝部３９内に配置されており、出射面６２となる側面が露出している。そして、発光部８は、導光部材６の露出した側面により構成されている。
【００６３】
このため本実施形態の便器装置によれば、出射面６２が露出しているため、実施形態１の便器装置に比べて、外部に出射する光量を多くすることができる。
【００６４】
また、本実施形態の凹溝部３９は、断面略Ｌ字状に凹没した凹段部３９０により構成されている。凹段部３９０は、スカート部３３の下端に設けられている。
【００６５】
このように本実施形態の凹溝部３９は、下方にも開口しているため、施工時に導光部材６を設置しやすくできる。特に、導光部材６を軟質材により構成すれば、導光部材６を床面に密着できるため、導光部材６を水密材としても使用することができる。
【００６６】
また、本実施形態の便器装置は、側面に内外に貫通する部分が形成されていないため、便器装置の内部への浸水を防止することができる。
【符号の説明】
【００６７】
１      便器本体
２      支持フレーム
２１    下フレーム部２１
２２    サイドフレーム部
３      前パーツ
３１    ボウル部
３２    リム部
３３    スカート部
３４    トラップ部
３６    導光体配置部
３７    溝部
３８    接続片
３９    凹溝部
３９０  凹段部
３９１  横面部
３９２  縦面部
３９３  凹所
４      後パーツ
４４    下サイドカバー
４５    開口部
５      内装機器
６      導光部材
６１    入射面
６２    出射面
６３    光拡散部
６４    反射材
７      光源装置
７１    発光体
７２    基板
８      発光部
【図１】
2014055460.tif 000003
【図２】
2014055460.tif 000004
【図３】
2014055460.tif 000005
【図４】
2014055460.tif 000006
【図５】
2014055460.tif 000007
【図６】
2014055460.tif 000008
【図７】
2014055460.tif 000009
【図８】
2014055460.tif 000010
【図９】
2014055460.tif 000011